(57)【特許請求の範囲】
【請求項１】
自動車用車輪懸架装置のベアリング部におけるアウターレースとこのアウターレースの軸方向一方の端面と対向する軸方向端面部を有する回転軸との間を密封する密封装置であって、
前記アウターレースの内周側に嵌合される内周側密封部材と、前記アウターレースの外周側に嵌合される外周側密封部材とを有し、
前記内周側密封部材は、前記回転軸の軸方向端面部または前記回転軸に嵌合されるスリンガーに摺動自在に密接するシールリップを有し、
前記外周側密封部材は、前記アウターレースの外周側に嵌合される金属環と、前記金属環に被着されたゴム状弾性体とを有し、
前記ゴム状弾性体は、前記金属環の軸方向端部に被着されるとともに前記アウターレースの外周面に密接してシール作用をなす静止シール部と、前記金属環の外周面に被着された被着部と、前記被着部から径方向内方へ向けて一体成形されるとともに前記アウターレースの軸方向端面を被覆する延長部と、前記延長部の内周端部に一体成形されるとともに、前記アウターレースの内周側に嵌合する内周側密封部材に密接してシール作用をなすリップ状の密接シール部と、前記被着部から前記回転軸の軸方向端面部に向けて一体成形されたリップ部とを一体に有し、
前記リップ部は、前記回転軸の軸方向端面部に非接触にて近接配置されて非接触式シールであるラビリンスシールを形成することを特徴とする密封装置。
【発明の詳細な説明】
【技術分野】
【０００１】
本発明は、密封技術に係る密封装置に関するものである。本発明の密封装置は、自動車関連分野においてハブシール（ハブベアリング用シール）として用いられる。
【背景技術】
【０００２】
従来から、図３に示す密封装置５１が知られており、この密封装置５１は、シールハウジングをなすベアリングにおけるアウターレース６１と、このアウターレース６１の軸方向端面６１ａと対向する端面部６２ａを有する相対回転部材である回転軸６２との間を密封するものであって、アウターレース６１の内周側に装着され、複数のサイドリップ５３にて回転軸６２の端面部６２ａに摺動自在に密接する密封部材（内周側密封部材）５２を有している（特許文献１参照）。
【０００３】
しかしながら、この従来の密封装置５１によると、アウターレース６１の軸方向端面６１ａに対するシール作用が何ら施されていないために、金属材質よりなるアウターレース６１の端面６１ａに外部異物である泥水等の水分が付着することにより端面６１ａに錆が発生することがある。アウターレース６１の端面６１ａに発生した錆はアウターレース６１の内周面へと成長し、アウターレース６１および密封部材５２の金属嵌合部を劣化させて該部シール性に良くない影響を及ぼす。また、アウターレース６１の端面６１ａに発生した錆は、近接対向する回転軸６２の端面部６２ａに転移することもあり、この場合には密封部材５２のサイドリップ５３の摩耗を進行させて該部シール性に良くない影響を及ぼす。
【先行技術文献】
【特許文献】
【０００４】
【特許文献１】特開平９−２８７６１９号公報
【発明の概要】
【発明が解決しようとする課題】
【０００５】
本発明は以上の点に鑑みて、密封装置を装着する上記アウターレースの軸方向端面に錆が発生するのを有効に抑えることができ、もってこの錆の発生を原因として嵌合固定部が劣化したりシールリップが摺動摩耗したりするのを抑えることができる密封装置を提供す
ることを目的とする。
【課題を解決するための手段】
【０００６】
上記目的を達成するため、本発明の請求項１による密封装置は、自動車用車輪懸架装置のベアリング部におけるアウターレースとこのアウターレースの軸方向一方の端面と対向する軸方向端面部を有する回転軸との間を密封する密封装置であって、前記アウターレースの内周側に嵌合される内周側密封部材と、前記アウターレースの外周側に嵌合される外周側密封部材とを有し、前記内周側密封部材は、前記回転軸の軸方向端面部または前記回転軸に嵌合されるスリンガーに摺動自在に密接するシールリップを有し、
前記外周側密封部材は、前記アウターレースの外周側に嵌合される金属環と、前記金属環に被着されたゴム状弾性体とを有し、
前記ゴム状弾性体は、前記金属環の軸方向端部に被着されるとともに前記アウターレースの外周面に密接してシール作用をなす静止シール部と、前記金属環の外周面に被着された被着部と、前記被着部から径方向内方へ向けて一体成形されるとともに前記アウターレースの軸方向端面を被覆する延長部と、前記延長部の内周端部に一体成形されるとともに、前記アウターレースの内周側に嵌合する内周側密封部材に密接してシール作用をなすリップ状の密接シール部と、前記被着部から前記回転軸の軸方向端面部に向けて一体成形されたリップ部とを一体に有し、前記リップ部は、前記回転軸の軸方向端面部に非接触にて近接配置されて非接触式シールであるラビリンスシールを形成することを特徴とするものである。
【０００７】
上記構成を備えた本発明の請求項１による密封装置においては、ゴム状弾性体に設けられた延長部がアウターレースの軸方向端面を被覆することによって、アウターレースの軸方向端面に水分が付着するのを防止する。また、ゴム状弾性体に、アウターレースの外周面に密接してシール作用をなす静止シール部、およびアウターレースの内周側に嵌合する内周側密封部材に密接してシール作用をなすリップ状の密接シール部が設けられているために、これらによっても水分を有効にシールすることが可能とされている。
【発明の効果】
【０００８】
本発明は、以下の効果を奏する。
【０００９】
すなわち、本発明の請求項１による密封装置においては、ゴム状弾性体に設けられた延長部がアウターレースの軸方向端面を被覆することによって、アウターレースの軸方向端面に水分が付着して錆が発生するのを防止する。またゴム状弾性体に、アウターレースの外周面に密接してシール作用をなす静止シール部、およびアウターレースの内周側に嵌合する内周側密封部材に密接してシール作用をなすリップ状の密接シール部が設けられているために、これらによっても水分を有効にシールすることが可能とされている。したがって本発明所期の目的どおり、アウターレースの軸方向端面に錆が発生するのを有効に抑えることができ、よってこの錆の発生を原因として嵌合固定部が劣化したりシールリップが摺動摩耗したりするのを抑えることができる。
【図面の簡単な説明】
【００１０】
【図１】本発明の第一実施例に係る密封装置の要部断面図
【図２】本発明の第二実施例に係る密封装置の要部断面図
【図３】従来例に係る密封装置の要部断面図
【発明を実施するための形態】
【００１１】
尚、本発明には、以下の実施形態が含まれる。
【００１２】
（Ａ）ベアリングにおけるアウターレース等のハウジングと、前記ハウジングの端面と対向する端面部を有する回転軸等の相手部材との間を密封する密封装置であって、前記ハウジングの内周側に装着され、サイドリップにて前記相手部材の端面部に摺動自在に密接する内周側密封部材を有する密封装置において、前記ハウジングの外周側に装着され、被覆部にて前記ハウジングの端面を被覆し、リップ部にて前記相手部材の端面部と組み合わされて非接触式のシールを構成する外周側密封部材を有することを特徴とする。
【００１３】
この（Ａ）項記載の密封装置によれば、内周側密封部材に対して外周側密封部材が組み合わされ、この外周側密封部材が有する被覆部にてハウジングの端面を被覆することから、ハウジングの端面に水分が付着するのを抑え、もって該端面に錆が発生するのを抑えることができる。また、外周側密封部材が有するリップ部にて相手部材の端面部と組み合わされて非接触式のシールを構成することから、この非接触式のシールにて一次シールを構成し、もって機内に水分が浸入しにくい密封装置を構成することができる。水分が浸入しにくくなれば錆の発生を一層有効に抑えることができ、また密封装置本来の機能であるシール性（例えばハブシールにおいて泥水をベアリングに浸入させない機能）を高めることができる。したがって、ハウジングの端面に錆が発生するのを原因として金属嵌合部がある場合にこれが劣化したりサイドリップが摺動摩耗したりするのを有効に抑えることができ、更に優れたシール性を発揮することができる密封装置を提供することができる。
【００１４】
（Ｂ）  上記（Ａ）項の密封装置において、外周側密封部材における被覆部の内周側に、内周側密封部材に密接して両密封部材間をシールする密接シール部を設けたことを特徴とする。
【００１５】
この（Ｂ）項記載の密封装置によれば、外周側密封部材における被覆部の内周側に、内周側密封部材に密接して両密封部材間をシールする密接シール部が設けられるために、この密接シール部のシール作用によって、両密封部材間からハウジングの方へと水分が浸入するのを抑えることができる。したがって、両密封部材間からハウジングの方へと水分が浸入し、これを原因としてハウジングに錆が発生するのを有効に抑えることができる。
【実施例】
【００１６】
つぎに本発明の実施例を図面にしたがって説明する。
【００１７】
以下に述べる各実施例に係る密封装置１は何れも、自動車用車輪懸架装置におけるベアリング部にハブシール（ハブベアリング用シール）として用いられ、ベアリング外部Ａのダストや水分等の異物がベアリング内部Ｂへ侵入するのを防止するとともにベアリング内部Ｂの潤滑グリースがベアリング外部Ａへ漏洩するのを防止する。
【００１８】
第一実施例
図１は、本発明の第一実施例に係る密封装置１の要部断面を示している。
【００１９】
すなわち、当該実施例に係る密封装置１は、上記ベアリング部におけるアウターレース（外輪、ハウジング）２１と、このアウターレース２１の軸方向一方（図上右方、以下同じ）の端面（軸方向端面）２１ａと対向する軸方向端面部２２ａを有する回転軸（相対回転部材）２２との間を密封する密封装置であって、アウターレース２１の内周側に装着される内周側密封部材２を有し、更にアウターレース２１の外周側に装着されるとともに内周側密封部材２と組み合わされる外周側密封部材３を有する点に特徴を有している。アウターレース２１は金属材質よりなり、よってこのアウターレース２１の軸方向端面２１ａに錆が発生しないようにすることが当該密封装置１の機能の一つである。両密封部材２，３は以下のように構成されている。
【００２０】
すなわち先ず、内周側密封部材２は、その構成要素として、アウターレース２１に固定される固定部４と、回転軸２２に摺動自在に密接するシールリップ部５とを一体に有している。またこの内周側密封部材２は、その構成部品として、アウターレース２１の内周側に嵌合される金属環６と、この金属環６に被着（加硫接着）されたゴム状弾性体７とを有している。
【００２１】
金属環６は、アウターレース２１の内周面に嵌合される筒状部６ａと、この筒状部６ａの軸方向一方の端部に径方向内方へ向けて一体成形されたフランジ部６ｂとを一体に有し、この筒状部６ａとフランジ部６ｂとの間にテーパー状の傾斜面部６ｃが一体に形成されている。
【００２２】
ゴム状弾性体７は、金属環６の傾斜面部６ｃの外周面に被着されるとともにアウターレース２１の内周面に密接して該部をシールする静止シール部７ａと、金属環６のフランジ部６ｂの外側端面および内周端部に被着された被着部７ｂとを一体に有し、後者の被着部７ｂに、回転軸２２の端面部２２ａに摺動自在に密接して該部をシールする第一シールリップ（外周側サイドリップ）７ｃと、この第一シールリップ７ｃの内周側に配置されるとともに同じく回転軸２２の端面部２２ａに摺動自在に密接して該部をシールする第二シールリップ（内周側サイドリップ）７ｄと、回転軸２２の周面部２２ｂに摺動自在に密接して該部をシールする第三シールリップ（ラジアルリップ）７ｅとが一体成形されている。
第一および第二シールリップ７ｃ，７ｄはベアリングの外側Ａを向いて主にダスト用シールとされ、第三シールリップ７ｅはベアリングの内側Ｂを向いて主にグリース用シールとされる。
【００２３】
一方、外周側密封部材３は、その構成要素として、アウターレース２１に固定される固定部８と、アウターレース２１の軸方向端面２１ａを被覆する端面防錆シール部９と、端面防錆シール部９の外周側に配置されるとともに回転軸２２と組み合わされてシール１１を形成するシールリップ部１０とを一体に有している。またこの外周側密封部材３は、その構成部品として、アウターレース２１の外周側に嵌合される金属環１２と、この金属環１２に被着されたゴム状弾性体１３とを有している。
【００２４】
金属環１２は、アウターレース２１の外周面に嵌合される筒状部１２ａと、この筒状部１２ａの軸方向一方の端部に径方向外方へ向けて一体成形されたフランジ部１２ｃとを一体に有している。
【００２５】
ゴム状弾性体１３は、金属環１２の筒状部１２ａにおける軸方向他方の端部に被着されるとともにアウターレース２１の外周面に密接して該部をシールする静止シール部１３ａと、金属環１２の筒状部１２ａの外周面に被着された被着部１３ｂと、金属環１２のフランジ部１２ｃの軸方向他方の端面および外周端部に被着された被着部１３ｇと、同フランジ部１２ｃの軸方向一方の端面に被着された被着部１３ｈとを一体に有している。また、被着部１３ｈには、その内周端部から径方向内方へ向けて延長部１３ｉが一体成形され、この延長部１３ｉの内周端部に、内周側密封部材２におけるゴム状弾性体７の軸方向端面に密接して該部をシールするリップ状の密接シール部１３ｊが一体に成形されている。この密接シール部１３ｊが内周側密封部材２におけるゴム状弾性体７の軸方向端面に密接すると、延長部１３ｉはアウターレース２１の軸方向端面２１ａを全面に亙って被覆することになる。また、被着部１３ｈには、その外周端部から斜め外方であって回転軸２２の軸方向端面部２２ａの方向に向けてリップ部１３ｆが一体成形されている。
【００２６】
上記ゴム状弾性体１３の延長部１３ｉは、これによってアウターレース２１の軸方向端面２１ａを被覆することにより水分をシールし、アウターレース２１の軸方向端面２１ａに水分が付着してこの軸方向端面２１ａに錆が発生するのを防止する端面防錆シール部９を構成している。また、シールリップ部１０ないしリップ部１３ｆは、回転軸２２の軸方向端面部２２ａに非接触にて近接配置され、両者によって非接触式シールであるラビリンスシール１１を構成している。
【００２７】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。
【００２８】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、密接シール部１３ｊにて内周側密封部材２に直接密接し、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを被覆するとともに密接シール部１３ｊにて内周側密封部材２との間を直接シールすることから、アウターレース２１の軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。
【００２９】
尚、上記第一実施例では、端面防錆シール部９は、ゴム状弾性体１３のみにより構成したが、金属環１２に内向きフランジを設ける等して、金属環１２およびゴム状弾性体１３の組み合わせにより構成しても良い。また、シールリップ部１０ないしリップ部１３ｆは、回転軸２２と組み合わされて非接触式のラビリンスシール１１を構成した。
【００３０】
第二実施例
また、本発明の第二実施例として図２に示すように、内周側密封部材２は、回転軸２２に固定されるスリンガー１４を有するものであっても良い。この場合、密接シール部１３ｊは、内周側密封部材２における金属環６またはゴム状弾性体７の軸方向端面部に密接する。スリンガー１４は、回転軸２２の周面部２２ｂに嵌合される筒状部１４ａと、この筒状部１４ａの軸方向一方の端部に径方向外方へ向けて一体成形されたフランジ部１４ｂとを一体に有している。また、金属環６は、アウターレース２１の内周面に嵌合される筒状部６ａと、この筒状部６ａの軸方向他方の端部に径方向内方へ向けて一体成形されたフランジ部６ｂとを一体に有している。また、ゴム状弾性体７は、金属環６の筒状部６ａの内周面ならびにフランジ部６ｂの端面および内周端部に被着された被着部７ｂを有し、この被着部７ｂに、スリンガー１４のフランジ部１４ｂの内側端面に摺動自在に密接して該部をシールする第一シールリップ（サイドリップ）７ｃと、スリンガー１４の筒状部１４ａの外周面に摺動自在に密接して該部をシールする第二シールリップ（メインラジアルリップ）７ｆおよび第三シールリップ（サブラジアルリップ）７ｇとが一体に成形されている。第一および第二シールリップ７ｃ，７ｆはベアリングの外側Ａを向いて主にダスト用シールとされ、第三シールリップ７ｇはベアリングの内側Ｂを向いて主にグリース用シールとされる。
【００３１】
上記構成の密封装置１は、上記したようにハブシールとして用いられ、ベアリング外部Ａの泥水やダスト等の異物がベアリング内部Ｂへ浸入しないようこれらをシールするものであって、上記構成により以下の作用効果を奏する点に特徴を有している。
【００３２】
すなわち、上記したように当該密封装置１は、内周側密封部材２と外周側密封部材３との組み合わせよりなり、外周側密封部材３が、アウターレース２１の外周側に装着され、端面防錆シール部９にてアウターレース２１の軸方向端面２１ａを全面に亙って被覆し、更にシールリップ部１０ないしリップ部１３ｆにて回転軸２２の軸方向端面部２２ａとの間にラビリンスシール１１を構成するものとされている。したがって、端面防錆シール部９にてアウターレース２１の軸方向端面２１ａを被覆することから、この軸方向端面２１ａに水分が付着するのを抑え、もってこの軸方向端面２１ａに錆が発生するのを抑えることが可能となる。また、シールリップ部１０ないしリップ部１３ｆにて回転軸２２の軸方向端面部２２ａとの間にラビリンスシール１１を構成することから、このラビリンスシール１１にて一次シールをなし、もって外部の水分が浸入しにくい密封装置１を構成することが可能となる。水分が浸入しにくくなれば錆の発生を一層有効に抑えることができ、また密封装置１本来の機能であるダストシール機能を高めることもできる。したがって、所期の目的どおりの作用効果を発揮する密封装置１を提供することができる。
【符号の説明】
【００３３】
１密封装置
２内周側密封部材
３外周側密封部材
４，８固定部
５，１０シールリップ部
６，１２金属環
６ａ，１２ａ，１４ａ筒状部
６ｂ，１２ｂ，１２ｃフランジ部
６ｃ傾斜面部
７，１３ゴム状弾性体
７ａ，１３ａ，１３ｄ静止シール部
７ｂ，１３ｂ，１３ｃ，１３ｇ，１３ｈ，１３ｋ，１３ｍ被着部
７ｃ，７ｄ，７ｅ，７ｆ，７ｇシールリップ
９端面防錆シール部
１１シール
１３ｅ径方向立ち上がり部
１３ｆリップ部
１３ｉ延長部
１３ｊ密接シール部
１４スリンガー（相対回転部材）
２１アウターレース（ベアリング）
２１ａ軸方向端面
２２回転軸（相対回転部材）
２２ａ軸方向端面部
２２ｂ周面部
Ａベアリング外部
Ｂベアリング内部
【図１】
0004822537.tif 000002
【図２】
0004822537.tif 000003
【図３】
0004822537.tif 000004